(57)【要約】【課題】  放送受信機５０において、放送信号の切り替わり時に、切り替わり後の放送信号の復調を待たずに、該放送信号に係る処理を速やかに開始できるようにする。【解決手段】  再選択時処理用情報検出手段５１は、所定の放送周波数の放送信号を選択して該放送信号に係る放送内容を出力している期間に、該放送信号がその後に再選択されたときに、該放送信号の再選択時処理に必要な再選択時処理用情報を該放送信号の復調信号に基づき検出する。記憶手段５２は、放送信号の識別情報と該放送信号に係る再選択時処理用情報とを関連付けた関連付け情報５８を記憶装置５７に記憶する。切り替わり時処理手段５３は、選択する放送信号が切り替わると、切り替わり後の放送信号に関連付けられている再選択時処理用情報を関連付け情報５８より抽出して、該再選択時処理用情報に基づき切り替わり後の放送信号に係る再選択時処理を実施する。【選択図】      図４
2006238045.tif 000002
【特許請求の範囲】
【請求項１】
所定の放送周波数に対応付けられた放送信号を選択して該放送信号に係る放送内容を出力している期間に、該放送信号がその後に再選択されたときに該放送信号についての所定処理としての再選択時処理に必要な情報を再選択時処理用情報として該放送信号の復調信号に基づき検出する再選択時処理用情報検出手段、
放送信号の識別情報と該放送信号に係る再選択時処理用情報とを関連付けた情報としての関連付け情報を記憶装置に記憶する記憶手段、及び
選択する放送信号が切り替わると、切り替わり後の放送信号に関連付けられている再選択時処理用情報を前記関連付け情報より抽出して、該再選択時処理用情報に基づき切り替わり後の放送信号に係る再選択時処理を実施する切り替わり時処理手段、
を有していることを特徴とする放送受信機。
【請求項２】
前記再選択時処理用情報とは、放送信号に係る放送出力に関するユーザ設定情報、又は放送信号に係る放送モード情報であることを特徴とする請求項１記載の放送受信機。
【請求項３】
前記ユーザ設定情報は、放送信号が選択出力可能な複数個の出力対象を含むとき、どの出力対象を選択して出力するかのユーザ設定の情報を含むことを特徴とする請求項２記載の放送受信機。
【請求項４】
前記放送モード情報は、各放送モードに対して、それに分類される放送信号を関連付けたリストに係る情報を含み、
前記切り替わり時処理手段は、前記リストに基づき再選択時処理を実施する、
ことを特徴とする請求項２記載の放送受信機。
【請求項５】
前記再選択時処理とは、プリセットキーに対するユーザ操作に係る処理であることを特徴とする請求項１〜４のいずれかに記載の放送受信機。
【請求項６】
ユーザ指示に基づき又は自動的に前記再選択時処理用情報検出手段及び前記記憶手段を作動させて前記記憶装置内の前記関連付け情報を更新する更新制御手段、
を有していることを特徴とする請求項１〜５のいずれかに記載の放送受信機。
【請求項７】
前記切り替わり時処理手段による前記再選択時処理の結果としての映像又は音声の出力が開始されるまで処理中であることをユーザに通知する通知手段、
を有していることを特徴とする請求項１〜６のいずれかに記載の放送受信機。
【請求項８】
所定の放送周波数に対応付けられた放送信号を選択して該放送信号に係る放送内容を出力している期間に、該放送信号がその後に再選択されたときに該放送信号についての所定処理としての再選択時処理に必要な情報を再選択時処理用情報として該放送信号の復調信号に基づき検出する再選択時処理用情報検出ステップ、
放送信号の識別情報と該放送信号に係る再選択時処理用情報とを関連付けた情報としての関連付け情報を記憶装置に記憶する記憶ステップ、及び
選択する放送信号が切り替わると、切り替わり後の放送信号に関連付けられている再選択時処理用情報を前記関連付け情報より抽出して、該再選択時処理用情報に基づき切り替わり後の放送信号に係る再選択時処理を実施する切り替わり時処理ステップ、
を有していることを特徴とする放送受信機用制御方法。
【請求項９】
請求項１〜７のいずれかに記載の放送受信機の各手段としてコンピュータを機能させるためのプログラム。
【発明の詳細な説明】
【技術分野】
【０００１】
本発明は、ラジオ又はテレビの放送信号を受信してその放送内容を出力可能となっている放送受信機、放送受信機用制御方法及びプログラムに関し、詳しくはデジタル放送を含む放送信号に係る処理を迅速化できる放送受信機、放送受信機用制御方法及びプログラムに関するものである。
【背景技術】
【０００２】
ラジオ受信機用の放送信号には、アナログ放送のみの放送信号、デジタル放送のみの放送信号、アナログ放送とデジタル放送との両方を含む放送信号、デジタル放送内にメインチャンネルの他にサブチャンネルを含む放送信号、デジタル放送内に主音声と副音声とを含む放送信号等、種々の放送モードが存在する。放送信号がデジタル放送を含むか否かは、受信した放送信号に対し復調及び復号の処理をかけてみないと、判明しないので、放送信号の選択時から判明までに時間（例：ＩＢＯＣ（In−Band On−Channel）の場合、約５秒。）を要する。一方、放送モードの検出の結果、放送信号内にサブチャンネルや副音声の存在が判明した場合には、出力音声をサブチャンネルのものや副音声に設定するという、各放送モードに固有のユーザ設定が存在する。
【０００３】
従来のラジオ受信機では、例えば、サブチャンネルの音声を出力しようとするならば、選択した放送信号を復調してみて、放送信号がデジタル放送を含むことを調べ、さらに、復調信号を復号してみて、該デジタル放送がサブチャンネルを含むことを調べ、その後、ようやく、デジタル放送のサブチャンネルの音声を出力するユーザ設定処理が開始されるようになっている。
【０００４】
特許文献１は、ＤＡＢ（Digital Audio Broadcasting）放送受信機において、受信可能な全部のアンサンブルを実際に復調、復号し、復号データに基づき各アンサンブル内の全部のサービス（各サービスにはチャンネルが割り当てられている。）の名称を調べ、サービス名（サービスラベル）を、そのサービスが含まれているアンサンブルの周波数に対応付けて情報として記憶することを開示する。そして、ユーザからの表示要求があると、記憶情報に基づきサービス名とそのサービスを含むアンサンブルの周波数との関係が分かるリストをユーザに提示するようにしている。
【０００５】
特許文献２は、放送受信機において、同一の放送信号に含まれるアナログ放送及びデジタル放送は共通のプリセットキーを割り当て、ユーザによる該プリセットキーの押下の時間が長いときには、デジタル放送を出力し、また、短いときにはアナログ放送を出力することを開示する。
【特許文献１】特開２００４−１３４９３１号公報
【特許文献２】特開２００２−３０００５７号公報
【発明の開示】
【発明が解決しようとする課題】
【０００６】
従来のラジオ受信機では、例えば、サブチャンネルの音声を出力しようとする場合、ユーザが今回、選択した放送信号を復調、復号し、該放送信号がデジタル放送を含んでいるか否かを調べ、次に、該デジタル放送がサブチャンネルを含んでいるか否かを調べ、サブチャンネルの存在確認後に、ユーザがサブチャンネルの音声出力を選択可となり、ユーザが実際に選択してからでないと、サブチャンネルの音声出力処理が開始できない。したがって、サブチャンネルの音声出力の選択及び出力処理の開始までに相当の時間を要している。
【０００７】
特許文献１は、ＤＡＢ受信機において、サービス名を、そのサービスが含まれているアンサンブルの周波数に対応付けて情報として記憶することを開示するものの、記憶情報の利用方法は、該情報に基づく受信周波数−サービス名のリストの提示か、せいぜいアンサンブル周波数の受信に留まっており、該リストに係る情報を、アンサンブル周波数の放送信号を受信してからの処理に利用することには言及していない。
【０００８】
ＤＡＢ、Ｓｉｒｉｕｓ及びＢＳ等のデジタル放送では、放送受信機の電源オン時等において全放送局及びそれらの全チャンネルのリスト情報（例：ＥＰＧデータ）を受信したり、各周波数のアンサンブルを受信中に他の周波数のアンサンブルのチャンネル情報を入手したりすることが可能となっており、それら情報を利用して、選局や視聴番組の予約を行なうことが可能である。しかし、ＩＢＯＣのような放送モードでは、或る周波数の放送信号に係るデジタル放送が、別の周波数の放送信号に係るデジタル放送についての情報を流すことはなく、放送モードの切り替え時の放送モードの処理に備えて、或る周波数の放送信号に係るデジタル放送の出力中に他の放送信号の処理に必要な情報を予め収集しておき、或る周波数の放送信号への次の切り替え時の処理に対処しておくことは困難である。
【０００９】
特許文献２は、放送信号にアナログ放送とデジタル放送とを含む場合に、プリセットキーの有効的利用を提示するのみであり、特許文献２の放送受信機は、放送信号が選択された場合に、該放送信号にデジタル放送が含まれていたときに、該デジタル放送に対する処理を、該放送信号の復調に先立ち、実施可能にするようなものではない。
【００１０】
本発明の目的は、放送信号の切り替わり時に、切り替わり後の放送信号の復調を待たずに、該放送信号に係るデジタル放送及びアナログ放送に対する適切な処理を速やかに開始できるようにした放送受信機、放送受信機用制御方法及びプログラムを提供することである。
【課題を解決するための手段】
【００１１】
本発明によれば、放送信号が選択されたときに、該放送信号の復調信号に基づいて（「復調信号に基づいて」の概念は、復調信号を基づいて生成される信号やデータ、例えば復号データに基づいての概念も含む。）、該放送信号についての再選択時処理に必要な情報としての再選択時処理用情報を検出し、かつ記憶しておく。そして、該放送信号が、後に選択されたときには、該放送信号に係る再選択時処理が、該放送信号の復調や復号を待たずに、記憶中の再選択時処理用情報に基づき直ちに開始される。
【００１２】
本発明の放送受信機は次の手段を有している。
所定の放送周波数に対応付けられた放送信号を選択して該放送信号に係る放送内容を出力している期間に、該放送信号がその後に再選択されたときに該放送信号についての所定処理としての再選択時処理に必要な情報を再選択時処理用情報として該放送信号の復調信号に基づき検出する再選択時処理用情報検出手段、
放送信号の識別情報と該放送信号に係る再選択時処理用情報とを関連付けた情報としての関連付け情報を記憶装置に記憶する記憶手段、及び
選択する放送信号が切り替わると、切り替わり後の放送信号に関連付けられている再選択時処理用情報を関連付け情報より抽出して、該再選択時処理用情報に基づき切り替わり後の放送信号に係る再選択時処理を実施する切り替わり時処理手段。
【００１３】
本発明の放送受信機用制御方法は次のステップを有している。
所定の放送周波数に対応付けられた放送信号を選択して該放送信号に係る放送内容を出力している期間に、該放送信号がその後に再選択されたときに該放送信号についての所定処理としての再選択時処理に必要な情報を再選択時処理用情報として該放送信号の復調信号に基づき検出する再選択時処理用情報検出ステップ、
放送信号の識別情報と該放送信号に係る再選択時処理用情報とを関連付けた情報としての関連付け情報を記憶装置に記憶する記憶ステップ、及び
選択する放送信号が切り替わると、切り替わり後の放送信号に関連付けられている再選択時処理用情報を関連付け情報より抽出して、該再選択時処理用情報に基づき切り替わり後の放送信号に係る再選択時処理を実施する切り替わり時処理ステップ。
【００１４】
本発明のプログラムは、前述又は後述の放送受信機の各手段としてコンピュータを機能させるためのものである。あるいは、本発明のプログラムは、前述又は後述の放送受信機用制御方法の各ステップをコンピュータに実行させるためのものである。
【発明の効果】
【００１５】
本発明によれば、放送信号が再選択されたときには、該放送信号に係る再選択時処理を直ちに開始することができる。したがって、各放送信号に対して適切な再選択時処理を迅速化したり、放送信号の復調後に判明する放送モードに基づいてユーザに所定のユーザ設定を選択させる処理等を省略したりすることができる。
【発明を実施するための最良の形態】
【００１６】
図１はテレビ・ラジオ放送受信装置１０のハードウェア構成図である。テレビ・ラジオ放送受信装置１０は、例えば自動車に搭載されるが、家庭や事務所に固定的に配置されたり、ユーザに携帯されて適宜移動されたりするものであってもよい。チューナ１１は、アンテナ１２においてテレビ・ラジオ放送受信装置１０の現在地域内の放送電波を受信するとともに、メインコントローラ１３からの制御信号に基づいて所定の受信信号を選択し（以下、選択した受信信号を「選択放送信号」という。）、選択放送信号を中間周波数信号へ変換して、アナログ／デジタル復調部１４へ出力する。アナログ／デジタル復調部１４は、チューナ１１からのアナログ信号としての中間周波数信号をメインコントローラ１３からの制御信号に基づき復調、復号して、選択放送信号に係る映像信号及びオーディオ信号を生成し、映像・音声出力装置１５へ出力する。映像・音声出力装置１５は、例えばディスプレイ及びスピーカであり、入力された映像信号に係る映像を表示するとともに、入力されたオーディオ信号に係るオーディオを放音する。
【００１７】
入力装置２０は、例えば、選択中の放送信号に対して該放送信号より周波数が上側及び下側となっている放送信号へ選択を切り替えるアップシークキー及びダウンシークキー、さらにプリセットキー等であり、テレビ・ラジオ放送受信装置１０に対するユーザからの指示を受け付けるものである。入力装置２０において受付けられユーザの指示はメインコントローラ１３へ送られる。表示装置２１は、映像・音声出力装置１５の映像出力装置の部分であってもよいし、又は映像・音声出力装置１５の映像出力装置とは別個のものであってもよく、メインコントローラ１３からの制御信号に基づき入力装置２０におけるユーザ操作指示の内容をユーザに表示する。メインコントローラ１３は、データを適宜、データ記憶装置２３に書き込み及びデータ記憶装置２３から読み出し自在であり、少なくとも、アナログ／デジタル復調部１４における復調信号に基づき検出した放送モードや現在のユーザ設定等の再選択時処理のための再選択時処理用情報をデータ記憶装置２３に書き込む。検索制御部２２は、メインコントローラ１３からの検索指示に基づき、データ記憶装置２３内の情報を検索し、検索結果をメインコントローラ１３へ出力する。
【００１８】
テレビ・ラジオ放送受信装置１０が自動車に搭載されている場合、テレビ・ラジオ放送受信装置１０は、自動車の移動と共に受信場所を移動し、各受信場所で受信可能な放送が変化する。したがって、周波数が同一の放送信号であっても、地域ごとに実体が異なることがあり、また、或る受信場所では或る周波数の放送信号が存在しなかったにもかかわらず、別の受信場所では、該或る周波数の放送信号が存在する場合がある。したがって、テレビ・ラジオ放送受信装置１０は、ユーザ指示により、定期的に、又はテレビ・ラジオ放送受信装置１０が装備されている自動車が所定距離以上移動したかの判断等に基づき自動的に、データ記憶装置２３内の再選択時処理用情報を更新（追加、変更及び削除）することが好ましい。
【００１９】
図２はユーザがテレビ・ラジオ放送受信装置１０のアップシークキー及びダウンシークキーを操作したときの選択放送信号の周波数及び選択チャンネルの切り替わり状態を説明する図である。周波数について昇順に９９．９ＭＨｚ，１００．１ＭＨｚ，１００．３ＭＨｚの放送信号が放送されている受信場所を想定する。また、９９．９ＭＨｚ及び１００．３ＭＨｚの放送信号は、デジタル放送を含まずアナログ放送しか含まない放送信号であり、１００．１ＭＨｚの放送信号はＴＲ（Tomorrow Radio）放送のＩＢＯＣであるとする。ＴＲ放送では、アナログ放送とデジタル放送のメインチャンネルとはサイマル放送となっており、２個のサブチャンネルが１個のメインチャンネルの他に存在している。図２（ａ）及び（ｂ）はそれぞれ従来技術の放送受信機及び本発明を適用されたテレビ・ラジオ放送受信装置１０における選択チャンネル切り替わり状態を示している。Ｕ及びＤはそれぞれアップシークキー及びダウンシークキーの操作による放送信号又はチャンネルの遷移を示している。
【００２０】
従来の放送受信機及びテレビ・ラジオ放送受信装置１０におけるアップシークキーに対するユーザ操作では、選択放送信号が９９．９ＭＨｚの放送信号である場合、ユーザがアップシークキーを操作するごとに、選局は、１００．１ＭＨｚのメインチャンネル→１００．１ＭＨｚのサブチャンネル１→１００．１ＭＨｚのサブチャンネル２→１００．３ＭＨｚのアナログ放送→・・・と切り替わって行く。
【００２１】
従来の放送受信機及びテレビ・ラジオ放送受信装置１０におけるダウンシークキーに対するユーザ操作では、選局放送が１００．１ＭＨｚのサブチャンネル２である場合、ユーザがダウンシークキーを操作するごとに、選局は、１００．１ＭＨｚのサブチャンネル１→１００．１ＭＨｚのメインチャンネル→９９．９ＭＨｚのアナログ放送→・・・と切り替わって行く。
【００２２】
しかしながら、従来の放送受信機におけるダウンシークキーに対するユーザ操作では、選択放送信号が１００．３ＭＨｚの放送信号である場合、ダウンシークキーが操作されて、選択放送信号が１００．１ＭＨｚの放送信号となっても、該放送信号の復調信号としてのＴＲ信号を検出するまでは、１００．１ＭＨｚの放送信号にデジタル放送が果たして含まれているのか、及びサブチャンネルを含むデジタル放送であるかが不明である。したがって、従来の放送受信機では、選局が１００．３ＭＨｚのアナログ放送である場合に、ダウンシークキーが操作されると、選局は１００．１ＭＨｚのアナログ放送かデジタル放送のメインチャンネルとなる。
【００２３】
これに対して、テレビ・ラジオ放送受信装置１０では、過去に１００．１ＭＨｚの放送信号が選択放送信号となったことがある場合には、その過去の時に、該１００．１ＭＨｚの放送信号のＴＲ信号が検出されており、該ＴＲ信号に基づき１００．１ＭＨｚの放送信号内には、１個のアナログ放送と、デジタル放送の１個のメインチャンネルと、及び２個のサブチャンネルのデジタル放送とが存在することが検出されており、検出の内容に基づく情報としての例えば１００．１ＭＨｚの放送信号において最後に選択されたチャンネル等の再選択時処理用情報がデータ記憶装置２３に記憶している。したがって、選択放送信号が１００．３ＭＨｚの放送信号である場合に、ダウンシークキーがユーザにより操作されて、選択放送信号が１００．１ＭＨｚの放送信号に切り替わると、テレビ・ラジオ放送受信装置１０は、検索制御部２２を使用して、１００．１ＭＨｚの放送信号についてデータ記憶装置２３内を検索し、検索結果として１００．１ＭＨｚの放送信号に係る再選択時処理用情報を検索制御部２２から返され、該再選択時処理用情報に基づき１００．１ＭＨｚのサブチャンネル２のデジタル放送を映像・音声出力装置１５から出力する。すなわち、テレビ・ラジオ放送受信装置１０におけるダウンシークキーに対するユーザ操作では、選択放送信号が１００．３ＭＨｚの放送信号である場合、ユーザがダウンシークキーを操作するごとに、選局は、１００．１ＭＨｚのサブチャンネル２→１００．１ＭＨｚのサブチャンネル１→１００．１ＭＨｚのメインチャンネル→９９．９ＭＨｚのアナログ放送→・・・と切り替わって行く。
【００２４】
なお、テレビ・ラジオ放送受信装置１０では、選択放送信号が１００．３ＭＨｚのアナログ放送である場合に、ダウンシークキーがユーザにより操作されて、選択放送信号が１００．１ＭＨｚの放送信号に切り替わると、テレビ・ラジオ放送受信装置１０は、１００．１ＭＨｚの放送信号の復調を待たずに、直ちに該放送信号のサブチャンネル２のオーディオの出力設定となるが、該サブチャンネル２のオーディオがスピーカから現実に出力されるまでは、該放送信号の復調及び復号処理を済ませてからとなって、時間がかかり、ユーザの心理状態を不安定にさせる。そこて、該放送信号のサブチャンネル２のオーディオの出力は設定済みとなっていて、対応の処理がなされているが、出力にはなお時間がかかることをユーザに知らせる通知（例：「サブチャンネル２の出力処理中」のテキスト表示）を表示装置２１に表示することが好ましい。
【００２５】
図２では、デジタル放送の放送信号への切り替わり時に、放送信号のサブチャンネルを最初に出力することについて説明しているが、放送信号が主音声と副音声とを含む場合に、デジタル放送の放送信号への切り替え時に、特に、ダウンシークキーによる該デジタル放送の放送信号への切り替え時に、該放送信号の副音声を最初に出力するようにしてもよい。
【００２６】
図３は再選択時処理用情報の一例としての分類リスト情報を示している。図３には、フルデジタル放送、ハイブリッド放送、及びアナログ放送の３種類の放送モード（放送分類）が示されている。フルデジタル放送とは、１個の周波数の放送信号がデジタル放送のみを含むものである。ハイブリッド放送とは、１個の周波数の放送信号中にアナログ放送とデジタル放送とのサイマル放送を含むものである。なお、ＩＢＯＣには、フルデジタル放送及びハイブリッド放送の他に、ＴＲ放送やＮｏｎ−Ｄｅｌａｙ放送がある。図３のアナログ放送とは、１個の周波数の放送信号中にアナログ放送しか含まない分類を意味する。
【００２７】
テレビ・ラジオ放送受信装置１０は、１個の周波数としての各放送信号について、それが選択されて、復調している期間に、どの放送モードに分類されるかを解析し、各放送信号について該放送信号が分類される放送モードに対応付けた分類リスト情報（図３）をデータ記憶装置２３（図１）に記憶する。図３の放送局ＦＭ−Ａ−１、ＦＭ−Ａ−２、ＦＭ−Ａ−３、・・・、ＦＭ−Ｂ−１、ＦＭ−Ｂ−２、ＦＭ−Ｂ−３、・・・、ＦＭ−Ｃ−１、ＦＭ−Ｃ−２、ＦＭ−Ｃ−３、・・・はそれぞれ周波数の異なる１個の放送信号に対応しているものである。これにより、ＩＢＯＣの場合では、ＤＡＢ、Ｓｉｒｉｕｓ及びＢＳの場合のように、各放送信号を受信しなくても、選択放送信号の切り替わり時には、データ記憶装置２３から分類リスト情報を読み出して、切り替わり後の放送信号に係る再選択時処理用情報を分類リスト情報に基づき速やかに開始することができる。
【００２８】
図３の分類リスト情報は、例えば、放送モード別シーク機能に利用することができる。すなわち、放送モード別に特有のシーク処理を実施する。シークする放送局としての放送信号が、記憶中の分類リスト情報ではフルデジタルに分類されていると判明した場合には、メインチャンネルと２個のサブチャンネルとの計３個のデジタル放送があるものとして、例えば、それらのチャンネルの内、該放送信号の前回選択時に最後に選択されたチャンネルを出力する。シークする放送局としての放送信号が、記憶中の分類リスト情報ではハイブリッドに分類されていると判明した場合には、例えばデジタル放送及びアナログ放送のどちらかの音声を強制的に出力する処理を実施する。シークする放送局としての放送信号が、記憶中の分類リスト情報ではアナログに分類されていると判明した場合には、復調処理を待つことなく、直ちに、アナログ放送の音声を出力する。
【００２９】
分類リスト情報の別の利用方法について述べる。ユーザがワンタッチで希望の放送局を選局するための操作キーとしてプリセットキーがある。従来の放送受信機では、各プリセットキーに対して、放送信号の周波数のみが対応付けられてデータ記憶装置２３に記憶されていた。本テレビ・ラジオ放送受信装置１０では、ユーザが各プリセットキーを設定する際には、各プリセットキーに対して、放送信号の周波数だけでなく、記憶中の分類リスト情報に基づき該放送信号についてのメイン及びサブのチャンネルや、主及び副の音声も対応付けて設定する。こうして、ユーザが所定のプリセットキーを操作した場合には、該プリセットキーに周波数が対応付けられている放送信号のメインチャンネルや主音声だけでなく、サブチャンネルや副音声への切替もワンタッチで行われることになる。
【００３０】
具体例として、例えば、プリセットキー＃１，＃２，＃３に同一の１００．１ＭＨｚを割り当てるものの、それぞれ１００．１ＭＨｚの放送信号のメインチャンネル、サブチャンネル１及びサブチャンネル２を割り当て、これにより、プリセットキー＃１，＃２，＃３のユーザ操作に対してそれぞれ１００．１ＭＨｚの放送信号のメインチャンネル、サブチャンネル１及びサブチャンネル２の音声が映像・音声出力装置１５から出力されるようにする。また、例えば、プリセットキー＃１，＃２に同一の１００．１ＭＨｚを割り当てるものの、それぞれ１００．１ＭＨｚの放送信号のアナログ放送及びデジタル放送（デジタル放送のメインチャンネル）を割り当て、これにより、プリセットキー＃１，＃２のユーザ操作に対してそれぞれ１００．１ＭＨｚの放送信号のアナログ放送及びデジタル放送の音声が映像・音声出力装置１５から出力されるようにする。
【００３１】
図４は放送受信機５０の機能ブロック図である。放送受信機５０は基本要素として再選択時処理用情報検出手段５１、記憶手段５２及び切り替わり時処理手段５３を有している。再選択時処理用情報検出手段５１は、所定の放送周波数に対応付けられた放送信号を選択して該放送信号に係る放送内容を出力している期間に、該放送信号がその後に再選択されたときに、該放送信号についての所定処理としての再選択時処理に必要な情報を再選択時処理用情報として該放送信号の復調信号に基づき検出する。記憶手段５２は、放送信号の識別情報と該放送信号に係る再選択時処理用情報とを関連付けた情報としての関連付け情報５８を記憶装置５７に記憶する。切り替わり時処理手段５３は、選択する放送信号が切り替わると（＝ユーザが放送信号を切り替えると）、切り替わり後の放送信号に関連付けられている再選択時処理用情報を関連付け情報５８より抽出して、該再選択時処理用情報に基づき切り替わり後の放送信号に係る再選択時処理を実施する。
【００３２】
復調と復号とは厳密には異なるが、デジタル信号の技術分野において、「復調」には復号を含めて使用することがある。本発明の復調とは、復調と復号とを区別して使用したときの復調を意味するものとする。そして、「復調信号に基づいて」の概念には、「復調信号を基づいて生成される信号やデータ、例えば復号データに基づいて」も概念に含まれる。関連付け情報５８における放送信号の識別情報とは、例えば放送信号の周波数である。
【００３３】
前述のテレビ・ラジオ放送受信装置１０は放送受信機５０の一例である。放送受信機５０は、典型的には、ラジオ受信機であるが、テレビ受信機であってもよい。したがって、放送信号は、音声のみを含むラジオ放送信号であっても、音声と映像との両方を含むテレビ放送信号であってもよい。記憶装置５７は、典型的には、放送受信機５０への給電が断たれても、記憶を保持できる不揮発性の記憶装置５７である。しかし、記憶装置５７が、放送受信機５０への給電中のみしか記憶を保持できない記憶装置５７であっても、放送受信機５０は、その各給電期間に限定して、一回、選択した放送信号について、それが該期間内に再選択されたときに、記憶装置５７内の再選択時処理用情報を利用することができるようになっていてもよいとする。
【００３４】
放送受信機５０では、放送信号が出力対象として選択されて、該放送信号の復調信号が生成されている期間に、該放送信号に係る再選択時処理用情報が該放送信号の復調信号に基づいて検出され、該放送信号の識別情報−再選択時処理用情報の関連付け情報としての関連付け情報５８が記憶装置５７に記憶される。そして、その後、該放送信号が再選択されたときには、関連付け情報５８が記憶装置５７から読み出されて、該放送信号に係る再選択時処理用情報が関連付け情報５８から抽出され、該再選択時処理用情報に基づき該放送信号に係る所定の処理が開始される。したがって、該再選択時処理用情報に基づき該放送信号についての処理は、該放送信号の復調処理を待たずに、また、ユーザに、再度、ユーザ設定を行わせたりすることなく、速やかに開始できる。
【００３５】
放送受信機５０の具体例を詳細に説明する。
【００３６】
再選択時処理用情報とは、放送信号に係る放送出力に関するユーザ設定情報、又は放送信号に係る放送モード情報である。ユーザ設定情報は、放送信号が選択出力可能な複数個の出力対象を含むとき、どの出力対象を選択して出力するかのユーザ設定の情報を含む。放送信号に含まれる複数個の出力対象とは、例えば（ａ）放送信号がＩＢＯＣのハイブリッド信号であるときのアナログ放送及びデジタル放送、（ｂ）放送信号がＩＢＯＣのＴＲ信号であるときのアナログ放送及びデジタル放送のメインチャンネル放送と２個のサブチャンネル放送、及び（ｃ）放送信号が１個の主音声と１個以上の副音声とを含むときの各音声放送である。
【００３７】
「ユーザ設定情報」の「ユーザ設定」には、ユーザが特に時間を割いて、設定操作を行うときのユーザ設定の他に、ユーザ操作がそのまま、放送信号についてのユーザ設定になるときの設定も含むものとする。例えば、ユーザが或る放送信号（以下、「放送信号Ａ」と呼ぶ。）のデジタル放送（以下、「デジタル放送Ａ」と呼ぶ。）について該デジタル放送内でチャンネルを切り替え、さらに、次の放送信号（放送信号Ａ以外の放送信号）へ切り替えたとき、デジタル放送Ａ内で最後に選択したチャンネル又は副音声をチャンネルＡ（副音声Ａ）と呼ぶことにすると、チャンネルＡ（副音声Ａ）はユーザ設定情報とされる。すなわち、その後、ユーザが、再び放送信号Ａをシークしたときに、デジタル放送Ａの複数個のチャンネル（又は音声）の内、チャンネルＡ（又は副音声Ａ）がユーザ設定情報に基づき出力される。
【００３８】
放送モード情報は、各放送モードに対して、それに分類される放送信号を関連付けたリストに係る情報を含む。切り替わり時処理手段５３は、リストに基づき再選択時処理を実施する。該リストの一例は図３の分類リスト情報である。
【００３９】
再選択時処理とは例えばプリセットキーに対するユーザ操作に係る処理である。プリセットキーに対するユーザ操作に係る処理の具体例は、図２の（ｂ）のように、選択放送信号が１００．３ＭＨｚのアナログ放送である場合に、ユーザがダウンシークキーを操作すると、１００．１ＭＨｚのサブチャンネル２の放送内容を出力することである。別の具体例は、前述したように、プリセットキー＃１，＃２，＃３に同一の１００．１ＭＨｚを割り当てるものの、それぞれ１００．１ＭＨｚの放送信号のメインチャンネル、サブチャンネル１及びサブチャンネル２を割り当てたり、プリセットキー＃１，＃２に同一の１００．１ＭＨｚを割り当てるものの、それぞれ１００．１ＭＨｚの放送信号のアナログ放送及びデジタル放送（デジタル放送のメインチャンネル）を割り当てたりし、各割り当てられたチャンネル、アナログ放送、さらには、主音声、副音声、を出力する処理である。
【００４０】
放送受信機５０はさらに更新制御手段５５を有している。更新制御手段５５は、ユーザ指示に基づき又は自動的に再選択時処理用情報検出手段５１及び記憶手段５２を作動させて記憶装置５７内の関連付け情報５８を更新する。放送受信機５０は、自動車に装備されている場合、該自動車の移動に伴い、受信場所が移動し、各受信場所において、受信可能な放送信号が相違したり、同一周波数の放送信号であっても、内容が別の放送信号となることがある。また、同一場所でも、各放送信号に係る放送モードが変更されたり、変更がなくても、各放送信号についてのユーザ設定が変更されることがある。更新制御手段５５は、これに対処するため、関連付け情報５８を更新し、これにより、切り替わり時処理手段５３は、最新の関連付け情報５８に基づき再選択時処理を実施できる。更新制御手段５５が関連付け情報５８を自動的に更新するタイミングは、例えば、放送受信機５０を装備する自動車が所定距離以上移動するごと、及び前回の更新時から所定時間以上経過するごとである。
【００４１】
放送受信機５０は、さらに、通知手段６０を有している。通知手段６０は、切り替わり時処理手段５３による再選択時処理の結果としての映像又は音声の出力が開始されるまで処理中であることをユーザに通知する。通知手段６０による通知は、例えば、表示装置２１においてテキストや画像で表示されてもよいし、映像・音声出力装置１５の音声出力部（例：スピーカ）からの音声通知であってもよいとする。
【００４２】
図５は放送受信機用制御方法６８のフローチャートである。放送受信機用制御方法６８は放送出力中処理ルーチンと放送信号切り替わり時処理ルーチンとを含む。放送出力中処理ルーチンは、放送受信機５０が各放送を出力している期間に実行される。放送信号切り替わり時処理ルーチンは、放送受信機５０において、放送信号が切り替わるごとに実行される。放送出力中処理ルーチンはＳ７３とＳ７４とを有し、放送信号切り替わり時処理ルーチンはＳ７７を有している。なお、放送信号切り替わり時処理ルーチンは、放送信号が切り替わっても、切り替わり後の放送信号に係る関連付け情報５８が見つからないときは、Ｓ７７を実行することなく、終了する。
【００４３】
Ｓ７３（再選択時処理用情報検出ステップ）では、所定の放送周波数に対応付けられた放送信号を選択して該放送信号に係る放送内容を出力している期間に、該放送信号がその後に再選択されたときに該放送信号についての所定処理としての再選択時処理に必要な情報を再選択時処理用情報として該放送信号の復調信号に基づき検出する。Ｓ７４（記憶ステップ）では、放送信号の識別情報と該放送信号に係る再選択時処理用情報とを関連付けた情報としての関連付け情報５８を記憶装置５７に記憶する。Ｓ７７（切り替わり時処理ステップ）では、選択する放送信号が切り替わると、切り替わり後の放送信号に関連付けられている再選択時処理用情報を関連付け情報５８より抽出して、該再選択時処理用情報に基づき切り替わり後の放送信号に係る再選択時処理を実施する。
【００４４】
放送受信機用制御方法６８の具体例を説明する。
【００４５】
放送受信機用制御方法６８における再選択時処理用情報、ユーザ設定情報及び再選択時処理の具体例は、放送受信機５０の具体例の場合と同一である。すなわち、再選択時処理用情報は、放送信号に係る放送出力に関するユーザ設定情報、又は放送信号に係る放送モード情報である。ユーザ設定情報は、放送信号が選択出力可能な複数個の出力対象を含むとき、どの出力対象を選択して出力するかのユーザ設定の情報を含む。さらに、再選択時処理とは、例えば、プリセットキーに対するユーザ操作に係る処理である。
【００４６】
また、放送モード情報は、各放送モードに対して、それに分類される放送信号を関連付けたリストに係る情報を含む。Ｓ７７では、リストに基づき再選択時処理を実施する。
【００４７】
関連付け情報５８を更新するためには、放送出力中処理ルーチンは、各放送信号が最初に選択されたときだけでなく、その後も、ユーザ指示に基づき又は自動的に実施される。そして、Ｓ７７における再選択時処理の結果としての映像又は音声の出力が開始されるまで、処理中であることをユーザに通知する通知ステップが用意されることが好ましい。該通知ステップは例えばＳ７７の開始直後間はＳ７７と並行して実行される。また、通知ステップにおける通知がディスプレイへの表示であるときに、該表示を終了するための表示終了ステップが、Ｓ７７の処理が終了するのに伴い、実行される。
【００４８】
本発明は、プログラムとしても実現される。該プログラムは放送受信機５０の各手段としてコンピュータを機能させる。あるいは、放送受信機用制御方法６８の各ステップをコンピュータに実行させる。
【図面の簡単な説明】
【００４９】
【図１】テレビ・ラジオ放送受信装置のハードウェア構成図である。
【図２】ユーザがテレビ・ラジオ放送受信装置のアップシークキー及びダウンシークキーを操作したときの選択放送信号の周波数及び選択チャンネルの切り替わり状態を説明する図である。
【図３】再選択時処理用情報の一例としての分類リスト情報を示す図である。
【図４】放送受信機の機能ブロック図である。
【図５】放送受信機用制御方法のフローチャートである。
【符号の説明】
【００５０】
５０：放送受信機、５１：再選択時処理用情報検出手段、５２：記憶手段、５３：切り替え時処理手段、５５：更新制御手段、５７：記憶装置、５８：関連付け情報、６０：通知手段、６８：放送受信機用制御方法。
【図１】
2006238045.tif 000003
【図２】
2006238045.tif 000004
【図３】
2006238045.tif 000005
【図４】
2006238045.tif 000006
【図５】
2006238045.tif 000007